(57)【要約】【課題】台所等の室内で発生した湯気や油煙等の排気を排気フードにより捕集する効率の向上を図った給排気システムを提供する。【解決手段】天井面Ｔから下方へ突出するように室内Ｓに配設された外側面４ｄを有する角筒状の排気フード４と、この排気フードにより捕集された室内空気を室外へ排気する排気装置８と、天上面Ｔに配設された複数の吹出口９とを具備している。また、室外空気を吹出口から室内へ吹き出して供給する給気装置とを具備し、吹出口から吹き出された室外空気が排気フードの全外側面に沿って下降するように構成されている。【選択図】  図２
2014025621.tif 000002
【特許請求の範囲】
【請求項１】
天井面から下方へ突出するように室内に配設された外側面を有する角筒状の排気フードと、
この排気フードにより捕集された室内空気を室外へ排気する排気装置と、
上記天上面に配設された複数の吹出口と、
室外空気を上記吹出口から室内へ吹き出して供給する給気装置と、を具備し、
上記吹出口から吹き出された室外空気が上記排気フードの全外側面に沿って下降するように構成されていることを特徴とする給排気システム。
【請求項２】
天井面から下方に突出するように室内に配設された外側面を有する角筒状の排気フードと、
この排気フードにより捕集された室内空気を室外へ排気する排気装置と、
上記天上面に配設された複数の吹出口と、
室内空気を取り込み熱交換した後の空調空気を上記吹出口から室内へ供給する空気調和機と、
室外空気を給気口から室内へ供給する給気装置と、を具備し、
上記吹出口から吹き出された空調空気が上記排気フードの全外側面に沿って下降するように構成されていることを特徴とする給排気システム。
【請求項３】
天井面から下方に突出するように室内に配設された外側面を有する角筒状の排気フードと、
この排気フードにより捕集された室内空気を室外へ排気する排気装置と、
上記天上面に配設された複数の吹出口と、
室外空気を取り込み熱交換した後の空調空気を上記吹出口から室内へ供給する空気調和機と、を具備し、
上記吹出口から吹き出された空調空気が上記排気フードの全外側面に沿って下降するように構成されていることを特徴とする給排気システム。
【請求項４】
上記吹出口から吹き出される空気は、上記排気フードの全外側面に向けて吹き出されることを特徴とする請求項１〜３のいずれか１項に記載の給排気システム。
【発明の詳細な説明】
【技術分野】
【０００１】
本発明の実施形態は、室内の空気を排気し、かつ室外の空気を室内に供給する給排気システムに関する。
【背景技術】
【０００２】
従来、この種の給排気システムの一例としては、特許文献１に記載されたものがある。この特許文献１には、台所の空気を吸込み台所内に吹き出すことによって台所内に循環気流を形成する循環装置を具備し、この循環装置から室内へ吹き出す空気をレンジフードの前面の下端からエアカーテンを下方に形成するように、台所の室内上部からレンジフードの前面に向かって吹き出すようにした台所用循環送風装置及び台所換気システムが記載されている。
【先行技術文献】
【特許文献】
【０００３】
【特許文献１】特開２００２−２５０５５４号公報
【発明の概要】
【発明が解決しようとする課題】
【０００４】
しかしながら、このような従来のシステムでは、レンジフードの前面にのみにエアカーテンが形成されるため、レンジフードの側面から、捕集されない湯気や油煙等排気が台所に漏れ出すおそれがあった。さらに漏れ出した湯気や油煙等の排気が循環装置で循環されるため、システム全体が汚れる虞がある。
【０００５】
本発明が解決しようとする課題は、台所等の室内で発生した湯気や油煙等の排気を排気フードにより捕集する効率の向上を図った給排気システムを提供することにある。
【課題を解決するための手段】
【０００６】
実施形態の給排気システムは、天井面から下方へ突出するように室内に配設された外側面を有する角筒状の排気フードと、この排気フードにより捕集された室内空気を室外へ排気する排気装置と、天上面に配設された複数の吹出口と、を具備している。
【０００７】
また、室外空気を吹出口から室内へ吹き出して供給する給気装置を具備しており、吹出口から吹き出された室外空気が排気フードの全外側面に沿って下降するように構成されている。
【図面の簡単な説明】
【０００８】
【図１】第１の実施形態の給排気システムの一部の外観斜視図。
【図２】第１の実施形態の給排気システムの全体構成を示す図。
【図３】第２の実施形態の給排気システムの全体構成を示す図。
【図４】第３の実施形態の給排気システムの全体構成を示す図。
【図５】第４の実施形態の給排気システムの全体構成を示す図。
【図６】第５の実施形態の給排気システムの要部概略平面図。
【図７】同，第５の実施形態の給排気システムの要部概略構成図。
【図８】第６の実施形態の給排気システムの要部概略平面図。
【発明を実施するための形態】
【０００９】
以下、実施形態に係る給排気システムを、図面を参照して説明する。なお、複数の図面中、同一または相当部分には同一符号を付している。
【００１０】
（第１の実施形態）
図１は第１の実施形態の給排気システムの一部の外観斜視図、図２は、同，第１の実施形態の給排気システムの全体構成を示す図である。この給排気システム１は、例えば厨房等の室内Ｓに配設される。
【００１１】
室内Ｓは、厨房自体であり、または厨房を室内の一部として具備している。室内Ｓの床面Ｆ上には、調理台２が設置され、この調理台２上には調理器具３が置かれている。調理台２は例えばガスコンロ等を備えた加熱機器であり、調理器具３は例えば鍋や釜等である。
【００１２】
これら調理台２および調理器具３の上方の天井面Ｔには、排気フード４が天井面Ｔから図中下方の室内Ｓ側へ突出させた状態で配設される。排気フード４は四角筒等の角筒状であり、角筒状の胴部をなす本体４ａと、この本体４ａの天井面Ｔより図中上方の天井裏Ｔａ内へ突出する上端部４ｂとを有する。この上端部４ｂに排出口４ｅが設けられる。本体４ａは天井面Ｔから室内Ｓへ垂下し、その下端４ｃを開口させる一方、本体４ａの外面には、天井面Ｔから室内Ｓへ垂下する複数の側面４ｄ，４ｄを形成している。排気フード４は、調理器具３から発生する湯気や油煙等の排気を室内空気とともに開口下端４ｃから吸入し捕集する。
【００１３】
排気フード４の上端部４ｂの排出口４ｅには、天井裏Ｔａに配設された排気ダクト５の一端が連通可能に接続され、この排気ダクト５の他端には室外と連通する排気口６が接続される。この排気ダクト５の途中には排気を室外に送風する排気用送風機７が設けられる。
【００１４】
排気装置８は、これら排気フード４、排気ダクト５、排気口６および排気用送風機７により構成される。
【００１５】
そして、室内Ｓの天井面Ｔには、排気フード４の外周の各辺、例えば４辺を囲うように吹出口９が４ヶ所設けられる。各吹出口９は排気フード４の各外側面４ｄの幅方向長さ（図２では横方向長さ）とほぼ同じ長さを有する。各吹出口９は、その天井裏Ｔａ側端部を、天井裏Ｔａに配設された給気ダクト１０の一端に連通可能に接続している。給気ダクト１０の他端は室内Ｓの室外と連通する外気導入口１１に接続される。この給気ダクト１０の途中には、給気用送風機１２が設けられる。給気装置１３は、これら外気導入口１１、給気ダクト１０および給気用送風機１２により構成されている。
【００１６】
給気ダクト１０は、外気導入口１１と給気用送風機１２の間を１本のダクトにより接続し、給気用送風機１２と４つの吹出口９とは４本の分岐ダクトにより接続している。
【００１７】
各吹出口９は、排気フード４の各外側面４ｄの近傍にそれぞれ配置され、細長いスリット状に形成される。そして、各吹出口９は排気フード４の各外側面４ｄに沿って垂直方向下方へ空気を吹き出すように構成されている。
【００１８】
次に、この給排気システム１の作用について説明する。
【００１９】
まず、排気装置８および給気装置１３がそれぞれ運転される。このために、室内Ｓの室内空気は、排気用送風機７の運転により、排気フード４により吸引、捕集されてから、排気ダクト５を介して排気口６から室外へ排気される。
【００２０】
一方、外気の室外空気は、給気用送風機１２の運転により、外気導入口１１から導入されてから、給気ダクト１０を介して各吹出口９から室内Ｓへ給気される。これにより、室内空気が換気される。
【００２１】
このような換気環境において、調理台２で調理が行われると、調理器具３から湯気や油煙等の排気が発生する。湯気や油煙等の排気は加熱されているため上方に向かって上昇する上昇気流Ａが発生する。この上昇気流Ａは排気装置８の運転により排気フード４の開口下端４ｃから、その内部へ吸入されて捕集され、室外に排気される。
【００２２】
一方、給気装置１３の運転により、各吹出口９から吹き出された室外空気（外気）は、排気フード４の全外側面４ｄ，４ｄ，…に沿ってそれぞれ下方に向かって下降するので、下降気流Ｂが発生する。この下降気流Ｂは、排気フード４の下端４ｃを過ぎて下降すると、この下降流に排気フード５内に吸い込まれる流れが加わり、大きく方向転換する流れとなる。この流れは調理器具３から発生した湯気や油煙等の排気を包み込むように作用する。すなわち、湯気や油煙等の排気が室内Ｓへ拡散するのを防止するように作用する。このために、排気フード４の吸引から逃げようとする上昇気流Ａは排気フード４へ強制的に案内される。吹出口９は排気フード４の全周に配置されているため、偏りのない均一な下降気流Ｂを形成することができる。これにより、排気フード４のどの方向からでも湯気や油煙等の排気を効率よく捕集することができ、排気フード４に捕集されずに室内Ｓへ逃げ出す湯気や油煙等の排気を低減することができる。
【００２３】
（第２の実施形態）
図３は第２の実施形態に係る給排気システム１Ａの全体構成を示す図である。図３に示すようにこの給排気システム１Ａは、上記第１の実施形態に係る給排気システム１の給気用送風機１２を、ビルトイン型のダクト式空気調和機２１に置換し、外気導入口１１を、第２の給気ダクト２２を介して室内Ｓに開口する給気口２３に接続した点に主な特徴を有する。
【００２４】
すなわち、この給排気システム１Ａは、ビルトイン型のダクト式空気調和機２１の吸込口２１ａを室内Ｓに設ける一方、その吹出口側を、４本の給気ダクト１０を介して４つの吹出口９にそれぞれ接続している。
【００２５】
したがって、この給排気システム１Ａによれば、図３に示すように、室内空気は、ダクト式空気調和機２１の送風機により、その吸込口２１ａから空気調和機本体内に吸込まれ、ここで、熱交換器内を流れる冷媒と熱交換され、空調空気として各吹出口９から室内Ｓへ吹き出される。各吹出口９から吹き出された空気は、第１の実施形態に係る給排気システム１と同様に、排気フード４の各外側面４ｄに沿って下方に下降し、下降気流Ｂを発生させる。このために、湯気や油煙等の排気の室内Ｓへの拡散を低減し、排気フード４による換気効率の向上を図ることができる。
【００２６】
また、ダクト式空気調和機２１により空調された室内空気を調理台２周りに吹き出すので、調理台２周りにいる調理人の快適性の向上を図ることができる。
【００２７】
また、室外空気は、外気導入口１１、第２の給気ダクト２２を介して給気口２３から室内Ｓへ自然に供給される。すなわち、この給排気システム１Ａでは、ダクト式空気調和機２１の送風機により、吸込口２１ａから吸い込まれた室内空気を吹出口９から再び室内Ｓ内へ吹き出し、室内Ｓを循環する一方、排気装置８の運転により室内Ｓを排気することにより、室内Ｓを負圧にすることができる。このために、外気導入口１１から外気が自然に導入され、負圧の室内Ｓへ供給することができる。
【００２８】
（第３の実施形態）
図４は第３の実施形態に係る給排気システム１Ｂの全体構成を示す図である。図４に示すようにこの給排気システム１Ｂは、上記第２の実施形態に係る給排気システム１Ａのビルトイン型のダクト式空気調和機２１を、外調機３１に置換し、第２の給気ダクト２２と給気口２３を省略した点に主な特徴を有する。
【００２９】
すなわち、外調機３１は、その吸込口３１ａを、ダクトを介して外気導入口１１に接続し、外気導入口１１から室外空気を取込み、熱交換して空調空気として室内Ｓ内へ吹き出す換気可能のダクト式空気調和機である。
【００３０】
この給排気システム１Ｂによれば、上記第２の実施形態に係る給排気システム１Ａとほぼ同様の作用効果を奏することができるうえに、給気用送風機１２を設けなくても良いので、設備導入コストの低減を図ることができる。
【００３１】
（第４の実施形態）
図５は第４の実施形態に係る給排気システム１Ｃの全体構成を示す図である。図５に示すようにこの給排気システム１Ｃは、上記第１の実施形態に係る給排気システム１の各吹出口９を、第２の吹出口３９にそれぞれ置換した点に主な特徴を有する。
【００３２】
すなわち、給排気システム１Ｃは、各第２の吹出口３９から吹き出される吹出空気が排気フード４の各外側面４ｄに直接吹き付けられ、かつ各外側面４ｄに沿って下降する下降気流Ｂを発生させる角度に、各第２の吹出口３９を傾斜させた点に特徴を有する。
【００３３】
この給排気システム１Ｃによれば、各第２の吹出口３９から吹き出された空気が排気フード４の各外側面４ｄに吹き当てられるので、各外側面４ｄに沿って下降する下降気流Ｂを発生させる効率の向上を図ることができる。なお、吹出口９，３９は、一旦、排気フード４の天井面Ｔ近傍の上端部へ向けて天井面Ｔに沿って水平方向に空気を吹き出し、排気フード４の天井面Ｔ近傍の上端部に吹き当ててから各外側面４ｄに沿って下降させるように構成してもよい。また、吹出口９から垂直方向等所要下方方向に吹き出された空気を図示省略の通風ガイドにより排気フード４の各外側面４ｄに吹き当て、下降させるように構成してもよい。
【００３４】
また、この第２の吹出口３９は、上記第２，第３の実施形態に係る給排気システム１Ａ，１Ｂの吹出口９に置換してもよい。
【００３５】
（第５の実施形態）
図６は第５の実施形態に係る給排気システム１Ｄの全体構成を示す図である。図６に示すようにこの給排気システム１Ｄは、上記吹出口９，第２の吹出口３９を、図６で示す上下一対の第３の吹出口４９，５９に置換した点に主な特徴を有する。
【００３６】
第３の吹出口４９，５９は、排気フード４の図中上下方向で対向する対向辺の各外側面４ｄの外側近傍にほぼ平行に並設されている。
【００３７】
これら第３の吹出口４９，５９は排気フード４の各々対向する各外側面４ｄの図中長手方向よりも所要長長く形成され、各外側面４ｄの長手方向長さよりも長手方向へ若干長い突出端部４９ｂ，４９ｃ、５９ｂ，５９ｃを各本体部４９ａ，５９ａにそれぞれ一対に形成している。
【００３８】
そして、これら一対の第３の吹出口４９，５９は、その本体部４９ａ，５９ａでは排気フード４の２つの対向する外側面４ｄに沿って図中矢印で示すように、垂直方向下方（図６では紙面裏面方向）へ空気を吹き出す一方、各左右一対の突出端部４９ｂ，４９ｃ、５９ｂ，５９ｃでは、図７の矢印に示すように、排気フード４の外側面４ｄに沿って斜め下方へ吹き出すように構成されている。
【００３９】
この給排気システム１Ｄによれば、第３の吹出口４９，５９を、排気フード４の２つの外側に設ければよいので、上記第１〜第４実施形態の吹出口９，３９のように４つ設ける場合よりもコスト低減を図ることができる。
【００４０】
（第６の実施形態）
さらに、上記吹出口９，３９については、図８のように平面形状がＬ字状の第４の吹出口６９のように構成してもよい。これら第４の吹出口６９は、排気フード４の隣り合う２つの外側面４ｄ，４ｄ，…により形成される角であって、対角線上で対向する２つの角部外側に、外側面４ｄ，４ｄに沿ってそれぞれ並設される。
【００４１】
そして、この第４の吹出口６９は、そのＬ字状両端部６９ｂ，６９ｃからは排気フード４の外側面４ｄに沿って斜め下方へ空気を吹き出す一方、本体部６９ａからは排気フード４の外側面４ｄに沿って垂直方向下方（図８では紙面の裏面方向）へ空気を吹き出すように構成されている。
【００４２】
この第４の吹出口６９によっても、排気フード４の２つの角部に設ければよいので、４つ設ける場合よりもコスト低減を図ることができる。
【００４３】
なお、上記第３，第４の吹出口４９，５９，６９は、上記第１〜第４の実施形態に係る吹出口９，３９に適用してもよい。
【００４４】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００４５】
１，１Ａ，１Ｂ，１Ｃ，１Ｄ…給排気システム、４…排気フード、８…排気装置、９…吹出口、１３…給気装置、２１…ビルトイン型のダクト式空気調和機、２１ａ…吸込口、２３…給気口、３１…外調機、３１ａ…吸込口、３９…第２の吹出口、４９，５９…第３の吹出口、Ｓ…室内、Ｔ…天井面。
【図１】
2014025621.tif 000003
【図２】
2014025621.tif 000004
【図３】
2014025621.tif 000005
【図４】
2014025621.tif 000006
【図５】
2014025621.tif 000007
【図６】
2014025621.tif 000008
【図７】
2014025621.tif 000009
【図８】
2014025621.tif 000010